【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
装置であって、
第１のタンクを備え、前記第１のタンクは、前記第１のタンクの第１のチャンバに第１の開口部を含み、
さらに、第２のタンクを備え、前記第２のタンクは、前記第２のタンクの第２のチャンバに第２の開口部を含み、
さらに、ディフューザ要素を備え、前記ディフューザ要素はセルロースを含み、前記ディフューザ要素は、前記第１のタンクの前記第１の開口部と前記第２のタンクの前記第２の開口部との間に結合され、前記ディフューザ要素の外表面は複数のスラットおよび複数のグルーブを含み、前記複数のスラットは互いに平行に延在し、
さらに、第１の管を備え、前記第１の管は、前記ディフューザ要素を貫通して延在し、前記第１の管は、前記第１のチャンバと前記第２のチャンバとを結合する、装置。
【請求項２】
前記ディフューザ要素は、マツ、ナラ、サクラ、ポプラ、ヤナギ、トウ、ヒマラヤスギ、モミ、ツガ、セコイア、トウヒ、ブナ、イトスギ、ハンノキ、アスペン、カバ、マホガニー、シタン、チーク、ウェンジ、またはカエデのうち少なくとも１種の木の無垢材を含む、請求項１に記載の装置。
【請求項３】
前記ディフューザ要素は２つの部分を含み、第１の部分はダボを含み、第２の部分は、前記複数のスラットおよび前記複数のグルーブと、中央コア開口部とを含み、前記第１の部分は、前記第２の部分の前記中央コア開口部の中に嵌合されるように構成される、請求項１に記載の装置。
【請求項４】
前記ダボは、その外周に、第１のガスケットを保持するための第１の窪みを含み、かつ、前記ダボは、その外周に、第２のガスケットを保持するための第２の窪みを含み、
前記第１の部分が前記第２の部分の中に嵌合された際に、前記第１のガスケットは、前記複数のスラットおよび前記複数のグルーブの第１の側に位置し、一方、前記第２のガスケットは、前記複数のスラットおよび前記複数のグルーブの第２の側に位置し、前記第２の側は前記第１の側の逆側である、請求項３に記載の装置。
【請求項５】
前記ディフューザ要素は、無垢材を含み、前記第１の部分および前記第２の部分は、同一の無垢材材料を含む、請求項１に記載の装置。
【請求項６】
前記複数のスラットは、前記第１の管を横切る方向に延在する、請求項３に記載の装置。
【請求項７】
前記ディフューザ要素は、前記第１の管と略同一方向に延在する木目を有する無垢材を含む、請求項３に記載の装置。
【請求項８】
装置であって、
第１のタンクを備え、前記第１のタンクは、前記第１のタンクの第１のチャンバに第１の開口部を含み、前記第１の開口部は第１の雄ねじ部を含み、
さらに、第２のタンクを備え、前記第２のタンクは、前記第２のタンクの第２のチャンバに第２の開口部を含み、前記第２の開口部は第２の雄ねじ部を含み、
さらに、ディフューザ要素を備え、前記ディフューザ要素はセルロースを含み、前記ディフューザ要素は、前記第１のタンクの前記第１の開口部と前記第２のタンクの前記第２の開口部との間に結合され、前記ディフューザ要素の外表面は複数のスラットおよび複数のグルーブを含み、前記複数のスラットは互いに平行に延在し、
さらに、第１の雌ねじ状受け部を備え、前記第１の雌ねじ状受け部は、前記ディフューザ要素の第１の端部に形成され、前記第１の雌ねじ状受け部は、前記第１のタンクの前記第１の雄ねじ部と結合し、
さらに、第２の雌ねじ状受け部を備え、前記第２の雌ねじ状受け部は、前記ディフューザ要素の第２の端部に形成され、前記第２の端部は前記第１の端部の逆側であり、前記第２の雌ねじ状受け部は、前記第２のタンクの前記第２の雄ねじ部と結合し、
さらに、第１のガスケットを備え、前記第１のガスケットは、前記ディフューザ要素の前記第１の雌ねじ状受け部と、前記第１のタンクの前記第１の開口部との間に結合され、
さらに、第２のガスケットを備え、前記第２のガスケットは、前記ディフューザ要素の前記第２の雌ねじ状受け部と、前記第２のタンクの前記第２の開口部との間に結合され、
さらに、第１の管を備え、前記第１の管は、前記ディフューザ要素を貫通して延在し、前記第１の管は、前記第１のチャンバと前記第２のチャンバとを結合する、装置。
【請求項９】
前記ディフューザ要素は、マツ、ナラ、サクラ、ポプラ、ヤナギ、トウ、ヒマラヤスギ、モミ、ツガ、セコイア、トウヒ、ブナ、イトスギ、ハンノキ、アスペン、カバ、マホガニー、シタン、チーク、ウェンジ、またはカエデのうち少なくとも１種の木の無垢材を含む、請求項８に記載の装置。
【請求項１０】
前記複数のスラットは、前記第１の管を横切る方向に延在する、請求項８に記載の装置。
【請求項１１】
前記ディフューザ要素は、前記第１の管と略同一方向に延在する木目を有する無垢材を含む、請求項８に記載の装置。
【請求項１２】
前記複数のグルーブが前記第１の雌ねじ状受け部に隣接して延在する第１の距離は、前記複数のグルーブが第２の管に隣接して延在する距離よりも短く、前記第２の管は、前記第１の雌ねじ状受け部と前記第２の雌ねじ状受け部との間に位置する、請求項８に記載の装置。
【請求項１３】
前記ディフューザ要素の前記第１の雌ねじ状受け部と前記第２の雌ねじ状受け部との間に位置する第２の管と、
前記第２の管の中に結合されるディフューザコアとを備え、前記第２の管は前記ディフューザコアを貫通する、請求項８に記載の装置。
【請求項１４】
前記ディフューザコアは、第１の円錐形部および第２の円錐形部との間に結合された円筒形シャフト部を含む、請求項１３に記載の装置。
【請求項１５】
前記第１の管の第１の軸と、前記第２の管の第２の軸とは、同一線上にはない、請求項１３に記載の装置。
【請求項１６】
前記第１のタンクは、前記第１のタンクの上側リム部よりも直径の大きい下側ベース部を含む、請求項１３に記載の装置。
【請求項１７】
方法であって、
第１のタンクを提供する工程であって、前記第１のタンクは、前記第１のタンクの第１のチャンバに第１の開口部を含む、工程と、
第２のタンクを提供する工程であって、前記第２のタンクは、前記第２のタンクの第２のチャンバに第２の開口部を含む、工程と、
前記第１のタンクと前記第２のタンクとの間にディフューザ要素を結合する工程であって、前記ディフューザ要素はセルロースを含み、前記ディフューザ要素は、前記第１のタンクの前記第１の開口部と前記第２のタンクの前記第２の開口部との間に結合され、前記ディフューザ要素の外表面は複数のスラットおよび複数のグルーブを含み、前記複数のスラットは互いに平行に延在する、工程と、
前記ディフューザ要素を貫通して延在する第１の管を提供する工程であって、前記第１の管は前記第１のチャンバと前記第２のチャンバとを結合する、工程とを含む、方法。
【請求項１８】
前記ディフューザ要素は、マツ、ナラ、サクラ、ポプラ、ヤナギ、トウ、ヒマラヤスギ、モミ、ツガ、セコイア、トウヒ、ブナ、イトスギ、ハンノキ、アスペン、カバ、マホガニー、シタン、チーク、ウェンジ、またはカエデのうち少なくとも１種の木の無垢材を含む、請求項１７に記載の方法。
【請求項１９】
前記第１の開口部は第１の雄ねじ部を含み、前記第２の開口部は第２の雄ねじ部を含み、前記方法は、
前記ディフューザ要素の第１の端部に第１の雌ねじ状受け部を形成して提供する工程であって、前記第１の雌ねじ状受け部は、前記第１のタンクの前記第１の雄ねじ部と結合する、工程と、
前記ディフューザ要素の第２の端部に第２の雌ねじ状受け部を形成して提供する工程であって、前記第２の端部は前記第１の端部の逆側にあり、前記第２の雌ねじ状受け部は、前記第２のタンクの前記第２の雄ねじ部と結合する、工程とを含む、請求項１７に記載の方法。
【請求項２０】
前記複数のグルーブが前記第１の雌ねじ状受け部に隣接して延在する第１の距離は、前記複数のグルーブが第２の管に隣接して延在する距離よりも短く、前記第２の管は、前記第１の雌ねじ状受け部と前記第２の雌ねじ状受け部との間に位置する、請求項１９に記載の方法。
【手続補正２】
【補正対象書類名】明細書
【補正対象項目名】００１０
【補正方法】変更
【補正の内容】
【００１０】
一実現例において、装置は、第１のタンクを備え、第１のタンクは、第１のタンクの第１のチャンバに第１の開口部を含み、さらに、第２のタンクを備え、第２のタンクは、第２のタンクの第２のチャンバに第２の開口部を含み、さらに、ディフューザ要素を備え、ディフューザ要素はセルロース（木など）を含み、ディフューザ要素は、第１のタンクの第１の開口部と第２のタンクの第２の開口部との間に連結され、ディフューザ要素の外表面は複数のスラットおよび複数のグルーブを含み、複数のスラットは互いに平行に延在し、さらに、第１の管を備え、第１の管は、ディフューザ要素を貫通して延在し、第１の管は、第１のチャンバと第２のチャンバとを連結する。
【手続補正３】
【補正対象書類名】明細書
【補正対象項目名】００１１
【補正方法】変更
【補正の内容】
【００１１】
一実現例において、装置は、第１のタンクを備え、第１のタンクは、第１のタンクの第１のチャンバに第１の開口部を含み、第１の開口部は第１の雄ねじ部を含み、さらに、第２のタンクを備え、第２のタンクは、第２のタンクの第２のチャンバに第２の開口部を含み、第２の開口部は第２の雄ねじ部を含み、さらに、ディフューザ要素を備え、ディフューザ要素はセルロース（木など）を含み、ディフューザ要素は、第１のタンクの第１の開口部と第２のタンクの第２の開口部との間に連結され、ディフューザ要素の外表面は複数のスラットおよび複数のグルーブを含み、複数のスラットは互いに平行に延在し、さらに、第１の雌ねじ状受け部を備え、第１の雌ねじ状受け部は、ディフューザ要素の第１の端部に形成され、第１の雌ねじ状受け部は、第１のタンクの第１の雄ねじ部と連結しており、またはこれと噛み合っており、さらに、第２の雌ねじ状受け部を備え、第２の雌ねじ状受け部は、ディフューザ要素の第２の端部に形成され、第２の端部は第１の端部の逆側であり、第２の雌ねじ状受け部は、第２のタンクの第２の雄ねじ部と連結しており、またはこれと噛み合っており、さらに、第１のガスケットを備え、第１のガスケットは、ディフューザ要素の第１の雌ねじ状受け部と、第１のタンクの第１の開口部との間に連結され、さらに、第２のガスケットを備え、第２のガスケットは、ディフューザ要素の第２の雌ねじ状受け部と、第２のタンクの第２の開口部との間に連結され、さらに、第１の管を備え、第１の管は、ディフューザ要素を貫通して延在し、第１の管は、第１のチャンバと第２のチャンバとを連結する。
【手続補正４】
【補正対象書類名】明細書
【補正対象項目名】００１２
【補正方法】変更
【補正の内容】
【００１２】
一実現例において、方法は、第１のタンクを提供する工程であって、第１のタンクは、第１のタンクの第１のチャンバに第１の開口部を含む、工程と、第２のタンクを提供する工程であって、第２のタンクは、第２のタンクの第２のチャンバに第２の開口部を含む、工程と、第１のタンクと第２のタンクとの間にディフューザ要素を連結する工程であって、ディフューザ要素はセルロースを含み、ディフューザ要素は、第１のタンクの第１の開口部と第２のタンクの第２の開口部との間に連結され、ディフューザ要素の外表面は複数のスラットおよび複数のグルーブを含み、複数のスラットは互いに平行に延在する、工程と、ディフューザ要素を貫通して延在する第１の管を提供する工程であって、第１の管は第１のチャンバと第２のチャンバとを連結する、工程とを含む。